(57)【要約】【課題】爪嵌合により第１分体と第２分体とを安定した状態で組み付けたダクトを提供する。【解決手段】ダクト１０は、第１分体１４の端縁に第２分体１４側へ突出するように設けられた複数の係止爪２６を有する係止部２４と、第２分体１６の端縁に設けられて、受け入れた係止爪２６が引っ掛かる係止受部２８とによって、第１分体１４と第２分体１６とが組み付けられている。ダクト１０は、第１分体１４における係止部２４の根元部分に設けられた位置決め部３０が、第２分体１６に設けられた規制部３２に嵌まって、第１分体１４と第２分体１６との相対的な移動が規制されている。【選択図】図２
2019188856.tif 000002
【特許請求の範囲】
【請求項１】
互いの端縁を突き合わせて組み付けられる第１分体および第２分体によって、空気流通路の少なくとも一部が画成されるダクトであって、
前記第１分体の端縁から前記第２分体側へ突出すると共に該端縁の延在方向に並べて設けられた複数の係止爪を有する係止部と、
前記第２分体の端縁に前記係止部における複数の係止爪を受け入れ可能に設けられ、端縁を該第２分体の端縁に突き合わせた前記第１分体の係止爪と引っ掛かって該係止爪を抜け止めする係止受部と、
前記第１分体における前記係止部の根元部分に設けられた位置決め部と、
前記第２分体の端縁における前記係止受部に対応する位置に設けられ、前記係止爪と該係止受部とが引っ掛かった前記第１分体の前記位置決め部と嵌合して、該位置決め部の前記延在方向の移動を規制する規制部と、を備えている
ことを特徴とするダクト。
【請求項２】
前記位置決め部は、前記第１分体の外面から突出する突起状に形成され、
前記位置決め部は、前記係止爪における前記第１分体の端縁からの突出方向に沿って該係止爪の先端に向かうにつれて先細り形状になるように、該係止爪の突出方向に対して傾いた案内面を有し、
前記規制部は、前記第２分体の端縁において前記第１分体側に開く凹状に形成されている請求項１記載のダクト。
【請求項３】
前記係止部は、前記係止爪を２つ有しており、
前記位置決め部は、２つの前記係止爪の間に配置されている請求項１または２記載のダクト。
【請求項４】
前記第２分体の端縁は、該第２分体に組み付けた前記第１分体の端縁が内壁と外壁との間に嵌まる溝形状に形成され、該内壁と該外壁とを繋ぐ底部を貫通して前記係止受部が設けられ、
前記係止爪は、前記係止受部における前記外壁側の開口縁に引っ掛かるように構成され、
前記第２分体には、前記内壁に連なる外面から突出する抜止部が、前記係止受部を通って突出する前記係止爪の先端部に対応する位置に設けられている請求項１〜３の何れか一項に記載のダクト。
【請求項５】
前記位置決め部は、前記第１分体の外面から突出する突起状に形成され、
前記規制部は、前記第２分体の端縁において前記第１分体側に開く凹状に形成されると共に、前記係止爪における前記第１分体の端縁からの突出方向に沿って延在する規制面を有している請求項１〜４の何れか一項に記載のダクト。
【発明の詳細な説明】
【技術分野】
【０００１】
この発明は、例えば車両において吸気や空調や冷却などに用いられるダクトに関するものである。
【背景技術】
【０００２】
ダクトとしては、溝形樋状の上側部材と同じく溝形樋状の下側部材とを、互いの端縁を突き合わせて組み合わせることで、空気流通路を内部に画成した筒形状に構成するものがある(例えば、特許文献１参照)。上側部材は、インジェクション成形による樹脂成形品であり、下側部材に突き合わせる端縁に、該端縁の延在方向に互いに離して複数の係合爪が設けられている。また、下側部材は、インジェクション成形による樹脂成形品であり、上側部材に突き合わせる端縁に、前記複数の係合爪に対応して、係合孔が設けられている。そして、特許文献１のダクトは、上側部材の端縁と下側部材の端縁とを突き合わせて、係合爪を係合孔に差し込むことで、係合爪と係合孔との爪嵌合構造によって、上側部材と下側部材とが組み付くようになっている。
【先行技術文献】
【特許文献】
【０００３】
【特許文献１】特許第５８３２１１１号公報
【発明の概要】
【発明が解決しようとする課題】
【０００４】
前述したように、上側部材および下側部材は、樹脂成形品であるので、成形収縮などに起因して不可避の精度のバラツキが生じてしまうことがある。このため、上側部材の係合爪と下側部材の係合孔とが位置ずれしていると、係合爪を係合孔に差し込む際の荷重が大きくなり、係合爪の差し込みが不十分で係合爪と係合孔との爪嵌合不良が起こるおそれがある。そこで、この問題を解消する方策として、係合孔を係合爪に対して余裕をもった大きさとすることで、寸法精度のバラツキや位置ずれを吸収することがなされている。しかしながら、爪嵌合した係合爪と係合孔との隙が大きくなると、上側部材と下側部材とが、がたついたり、ダクトのねじれに対する強度が設計通りにならなかったり、異音が発生する等、様々な問題が発生するおそれがある。
【０００５】
本発明は、従来の技術に係る前記問題に鑑み、これらを好適に解決するべく提案されたものであって、爪嵌合により安定した状態で組み付けられた２つの分体からなるダクトを提供することを目的とする。
【課題を解決するための手段】
【０００６】
前記課題を克服し、所期の目的を達成するため、本発明のダクトは、
互いの端縁を突き合わせて組み付けられる第１分体および第２分体によって、空気流通路の少なくとも一部が画成されるダクトであって、
前記第１分体の端縁から前記第２分体側へ突出すると共に該端縁の延在方向に並べて設けられた複数の係止爪を有する係止部と、
前記第２分体の端縁に前記係止部における複数の係止爪を受け入れ可能に設けられ、端縁を該第２分体の端縁に突き合わせた前記第１分体の係止爪と引っ掛かって該係止爪を抜け止めする係止受部と、
前記第１分体における前記係止部の根元部分に設けられた位置決め部と、
前記第２分体の端縁における前記係止受部に対応する位置に設けられ、前記係止爪と該係止受部とが引っ掛かった前記第１分体の前記位置決め部と嵌合して、該位置決め部の前記延在方向の移動を規制する規制部と、を備えていることを要旨とする。
【発明の効果】
【０００７】
本発明に係るダクトによれば、２つの分体が爪嵌合によってガタツキが防止された安定した状態で精度よく組み付けられている。
【図面の簡単な説明】
【０００８】
【図１】本発明の好適な実施例に係るダクトを示す斜視図である。
【図２】実施例のダクトの要部を示す側面図である。
【図３】(ａ)は図２のＡ−Ａ線断面図であり、(ｂ)は図２のＢ−Ｂ線断面図である。
【図４】実施例のダクトの要部を、分解した状態で示す側面図である。
【図５】(ａ)は図４のＣ−Ｃ線断面図であり、(ｂ)は図４のＤ−Ｄ線断面図である。
【図６】実施例の係止部と係止受部との組み付けを示す説明図である。
【図７】変更例の位置決め部と規制部とを示す拡大図である。
【発明を実施するための形態】
【０００９】
次に、本発明に係るダクトにつき、好適な実施例を挙げて、添付図面を参照して以下に説明する。
【実施例】
【００１０】
図１に示すように、実施例に係るダクト１０は、空気が流通する空気流通路１２が内側に設けられた筒状であり、空気入口１０ａから空気出口１０ｂに向かう空気流通路１２が三次元的に曲がるように形成されている。なお、実施例のダクト１０は、空気入口１０ａと空気出口１０ｂとが同様の向きになるように湾曲した形状である。ダクト１０は、互いの端縁を突き合わせて爪嵌合構造によって組み付けられる第１分体１４および第２分体１６に囲われて、空気流通路１２の少なくとも一部が画成されている。実施例では、ダクト１０における空気出口１０ｂ側の一部が、第１分体１４の筒状部分で構成されている一方で、その他の大部分が、溝形樋状の２つの分体１４,１６を組み合わせて筒状に構成されている。各分体１４,１６は、ポリプロピレン(ＰＰ)または高密度ポリエチレン(ＨＤＰＥ)などのソリッド樹脂(ソリッドの合成樹脂)を材質とし、インジェクション成形等によって得られる成形品である。ダクト１０は、空気流通路１２の空気流通方向に沿って分けた２つの分体１４,１６で構成されているので、各分体１４,１６の端縁の延在方向が空気流通方向に沿っている。そこで、以下の説明では、分体１４,１６における端縁の延在方向を、空気流通方向と指称する場合がある。
【００１１】
図１に示すように、第１分体１４は、空気出口１０ｂ側の一部分が筒状に形成され、下方に開放する断面円弧状の溝形樋状に形成されたその他の部分により、第２分体１６と組み合わせた際にダクト１０の上側半分を構成する。第２分体１６は、上方に開放する断面円弧状の溝形樋状に形成され、第１分体１４と組み合わせた際にダクト１０の下側半分を構成する。第１分体１４は、溝形樋状部分の端縁が、空気流通路１２をなす流路壁１４ａから外方へ張り出した後に下方へ延出するように形成され、端縁における延出部１８が流路壁１４ａよりも下方へ延出している(図３(ｂ)および図５(ｂ)参照)。第２分体１６の端縁は、空気流通路１２をなす内壁１６ａと、該内壁１６ａの外側に対向配置された外壁２０と、内壁１６ａおよび外壁２０の下端を繋ぐ底部２２とにより、上方に開放する溝形状に形成されている(図３(ｂ)および図５(ｂ)参照)。図３に示すように、ダクト１０は、第１分体１４の端縁の延出部１８を、第２分体１６の端縁の溝形状に嵌め合わせると共に、第１分体１４の流路壁１４ａの下端と第２分体１６の内壁１６ａの上端とを突き合わせて、第１分体１４と第２分体１６とが爪嵌合構造によって連結されている。
【００１２】
次に、第１分体１４と第２分体１６とを連結する爪嵌合構造について具体的に説明する。図１に示すように、第１分体１４の端縁には、空気流通方向に互いに離して複数の係止部２４が、第２分体１６側へ突出するように設けられている。図２および図４に示すように、係止部２４は、空気流通方向(第１分体１４の端縁の延在方向)に並べて設けられた複数の係止爪２６(実施例では２つ)を有している。複数の係止爪２６は、第１分体１４の端縁において、延出部１８よりも下方(第２分体１６側)へ突出するように形成されている。実施例の係止部２４は、２つの係止爪２６,２６を有する２股形状であり、２つの係止爪２６,２６が、係止部２４の中央を該係止爪２６(係止部２４)の突出方向に沿うように通る仮想線を挟んで対称な形状になっている。また、係止部２４は、隣り合う係止爪２６,２６が互いに近づくように弾性変形可能に構成することが好ましく、実施例では、係止部２４において２股形状に構成された係止爪２６,２６が、互いに近づくように弾性変形し得るようになっている。図３および図５に示すように、係止爪２６の先端部には、該係止爪２６の突出方向と交差する外向きへ張り出した係止突起２６ａが設けられている。各係止爪２６は、空気流通方向(第１分体１４の端縁の延在方向)に弾性変形可能であることに加えて、ダクト１０の内外方向へ弾性変形可能に構成されている。係止爪２６は、相手の係止爪２６との反対面が該係止爪２６の突出方向に対して傾いた先細り形状である。
【００１３】
第２分体１６の端縁には、空気流通方向に互いに離して複数の係止受部２８が設けられており、ダクト１０において係止受部２８と係止部２４とが対応している。係止受部２８は、係止部２４における複数の係止爪２６を受け入れ可能に設けられ、第１分体１４の端縁と第２分体１６の端縁とを突き合わせた際に、自身に引っ掛かる係止爪２６を抜け止めするよう構成されている。図３および図５に示すように、実施例の係止受部２８は、第２分体１６において溝形状に形成された端縁において、外壁２０と内壁１６ａとを繋ぐ底部２２を貫通するように形成されている。係止受部２８は、空気流通方向の開口寸法が、係止部２４における両係止爪２６,２６の空気流通方向の寸法と同一または若干小さく設定することが好ましく、係止受部２８の空気流通方向に対向する開口縁が受け入れた係止爪２６と当たるまたは干渉する構成がよい。爪嵌合構造は、係止受部２８に挿入した係止爪２６の係止突起２６ａが、係止受部２８における外壁２０側の開口縁下面に引っ掛かることで、第１分体１４と第２分体１６とが相対的に離れる方向の移動を規制して、第１分体１４と第２分体１６との組み付け状態を保持する。
【００１４】
ダクト１０は、爪嵌合構造により組み付けられた第１分体１４と第２分体１６との空気流通方向の位置関係を規定する位置決め構造を、係止部２４および係止受部２８に対応して備えている。位置決め構造としては、第１分体１４における係止部２４の根元部分に設けられた位置決め部３０と、第２分体１６の端縁における係止受部２８に対応する位置に設けられた規制部３２とを有している。位置決め構造は、係止爪２６が係止受部２８に受け入れられるように第１分体１４と第２分体１６とが組み合わさった際に、位置決め部３０が規制部３２に受け入れ可能な関係にある。また、係止爪２６と係止受部２８とが引っ掛かった際に、第１分体１４と第２分体１６との空気流通方向に向けた相対的な移動を規制するように、規制部３２が位置決め部３０の移動を規制可能な関係で構成されている。
【００１５】
図２および図４に示すように、位置決め部３０は、係止部２４の根元部分において、隣り合う２つの係止爪２６,２６の間に配置されており、実施例では、２つの係止爪２６,２６の中間に位置して、係止部２４における空気流通方向中央に設けられている。図３および図５に示すように、位置決め部３０は、第１分体１４の外面から突出する突起状に形成され、係止部２４から係止爪２６の係止突起２６ａと同じ向きに張り出している。位置決め部３０は、係止爪２６(係止部２４)の突出方向に沿って該係止爪２６の先端に向かうにつれて先細り形状になるように、係止爪２６の突出方向に対して傾いた案内面３０ａを有している。実施例の位置決め部３０は、係止部２４の中央を係止爪２６の突出方向へ通る仮想線を挟んで対称な傾きの案内面３０ａ,３０ａを有する三角形状である。
【００１６】
図２および図４に示すように、規制部３２は、第２分体１６の端縁において第１分体１４側に開く凹状に形成されている。より具体的には、規制部３２は、第２分体１６の端縁において溝形状をなす外壁２０の上縁に、上方へ開く凹状に形成されている。規制部３２は、係止爪２６が係止受部２８に受け入れられるように第２分体１６と組み合わさった第１分体１４の位置決め部３０を受け入れ可能になっている。また、規制部３２は、係止爪２６と係止受部２８とが引っ掛かった際に、空気流通方向に向けた位置決め部３０の移動を規制するように構成されている。規制部３２は、外壁２０において係止受部２８の空気流通方向中央に対応する位置に配置されており、位置決め部３０の空気流通方向の寸法と同じまたはわずかに大きく形成されている。また、規制部３２は、位置決め部３０の外形に合わせて形成されており、外形が頂角を下方へ向けた三角形状である位置決め部３０に合わせて、頂角を下方に向けた三角形状の凹状に形成されている。
【００１７】
図３(ａ)および図５(ａ)に示すように、第２分体１６には、内壁１６ａに連なる外面から突出する抜止部３４が、係止受部２８を通って突出する係止爪２６の先端部に対応する位置に設けられている。抜止部３４は、外壁２０から離れるように円弧状に湾曲する第２分体１６の外面から突出して、係止受部２８に挿入した係止爪２６の先端部に相対するように配置されている。抜止部３４は、上部が上から下へ向かうにつれて第２分体１６の外面から次第に突出する傾斜面となっており、係止爪２６の先端部に相対する面が該先端部と並行して上下に延在している。係止爪２６の先端部と抜止部３４との間隔は、係止爪２６の係止突起２６ａと係止受部２８の開口縁との引っ掛かり代(実施例では係止突起２６ａの突出寸法分)よりも小さくなるように設定されている。抜止部３４は、係止爪２６が内側へ変形した際に当たって、係止突起２６ａが係止受部２８の開口縁から外れないように構成してある。
【００１８】
前述したダクト１０における第１分体１４と第２分体１６との組み付けについて、図６を参照して説明する。第１分体１４と第２分体１６とを相対的に近づけて、係止部２４の両係止爪２６,２６を係止受部２８に挿入する(図６(ａ)参照)。この際、仮に係止部２４と係止受部２８とがずれている場合、係止爪２６が係止受部２８の開口縁に当たるが、係止爪２６が係止部２４において組をなす相手の係止爪２６側へ変形可能であるので、係止受部２８の開口縁に当たった係止爪２６が変形して逃げる(図６(ｂ)参照)。これにより、係止部２４と係止受部２８とがずれている場合であっても、係止受部２８への両係止爪２６,２６の挿入が、挿入荷重の増加を抑えつつ許容される。また、係止爪２６が係止受部２８の開口縁に弾力的に当たることで、係止部２４と係止受部２８との位置ずれが補正される。そして、仮に係止部２４と係止受部２８とがずれている場合、位置決め部３０の案内面３０ａが規制部３２の開口縁に当たり、係止爪２６の係止受部２８への挿入につれて案内面３０ａの傾斜に案内されて、係止部２４と係止受部２８との位置ずれが補正される(図６(ｃ)参照)。係止爪２６の係止突起２６ａが係止受部２８を通って係止受部２８の開口縁にかかると、位置決め部３０が規制部３２に嵌まって、係止部２４(第１分体１４)と係止受部２８(第２分体１６)とが空気流通方向において適正な位置関係で配置される(図６(ｄ)参照)。
【００１９】
前述したダクト１０は、係止爪２６と係止受部２８とがかかった組み付け状態において、第１分体１４の位置決め部３０が第２分体１６の規制部３２に嵌まり、位置決め部３０と規制部３２との嵌め合いにより、第１分体１４と第２分体１６との空気流通方向の位置を精度よく合わせることができる。また、位置決め部３０と規制部３２との嵌め合いにより、第１分体１４と第２分体１６との空気流通方向の位置ずれが規制されるので、第１分体１４と第２分体１６との空気流通方向のガタツキを防止することができる。このように、位置決め部３０と規制部３２との位置決め構造によって、第１分体１４および第２分体１６との位置決めができるので、係止受部２８の空気流通方向の開口寸法を、係止部２４における２つの係止爪２６,２６の空気流通方向寸法より大きく設定することも可能になる。これにより、係止部２４と係止受部２８とのずれ等を吸収し得ると共に、係止部２４を係止受部２８に対して無理なく嵌め合わせることができる。
【００２０】
このように、ダクト１０は、２つの分体１４,１６が爪嵌合によってガタツキが防止された安定した状態で精度よく組み付けられている。従って、ダクト１０は、第１分体１４と第２分体１６とのガタツキに起因する異音や通気に伴うビビリ音等の発生を防止することができる。また、ダクト１０は、第１分体１４と第２分体１６とが空気流通方向へ相対的にずれ難いように強固に組み付いているので、ねじれ等に対して強くなり、全体として剛性が増すので、補強を減らすことができる。
【００２１】
ダクト１０は、係止部２４における複数の係止爪２６が互いに近づくように変形可能にすることで、係止部２４と係止受部２８とがずれている場合や、係止受部２８の空気流通方向の開口寸法が両係止爪２６,２６の空気流通方向の寸法に対して余裕がない場合であっても、係止爪２６の変形によって係止爪２６を係止受部２８に挿入することができる。これにより、両係止爪２６,２６の空気流通方向の寸法に対して係止受部２８の空気流通方向の開口寸法を大きく設定することに伴う隙を小さくすることができる。また、両係止爪２６,２６の空気流通方向の寸法に対して係止受部２８の空気流通方向の開口寸法を同じまたは若干小さく設定して、係止受部２８に挿入した係止爪２６と係止受部２８との間に隙ができないようにすることも可能となる。このように、前述した爪嵌合構造によれば、係止受部２８に挿入した係止爪２６と係止受部２８との間に隙を小さくまたは無くすことができるので、係止受部２８に挿入した係止爪２６と係止受部２８との間に隙により生じる第１分体１４と第２分体１６との空気流通方向のガタツキを防止することができる。更に、係止爪２６が空気流通方向へ変形することで、係止受部２８に対する係止爪２６の挿入荷重の増加を抑えることができ、係止爪２６の係止突起２６ａが係止受部２８にかからない爪嵌合不良を回避することができる。第１分体１４および第２分体１６を治具に位置決めしてセットして、上下にプレスして所定荷重を加えることで、係止部２４を係止受部２８に機械的に挿入して爪嵌合を行う場合であっても、挿入荷重も増大を抑えることができるので、爪嵌合不良を回避することができる。
【００２２】
ダクト１０は、第１分体１４と第２分体１６とを組み付ける際に、位置決め部３０における規制部３２への挿入先端側に設けられた案内面３０ａが、規制部３２の開口縁に当たることで、案内面３０ａの傾斜により位置決め部３０が規制部３２に揃うように案内される。このように、ダクト１０は、第１分体１４と第２分体１６とを組み付ける際に、位置決め部３０と規制部３２との嵌め合いにより、第１分体１４と第２分体１６の空気流通方向の位置関係が揃うように自然に補正することができる。従って、得られるダクト１０は、第１分体１４と第２分体１６との空気流通方向の位置が精度よく合わせられている。
【００２３】
ダクト１０は、位置決め部３０を２つの係止爪２６,２６の間に配置しているので、２つの係止爪２６,２６の何れか一方に負荷をかけることを抑えて、位置決め部３０と規制部３２との嵌め合いによってバランスよく第１分体１４と第２分体１６の空気流通方向の位置関係を整えることができる。
【００２４】
ダクト１０は、係止受部２８に嵌め合わせた係止爪２６の係止突起２６ａが係止受部２８から外れる方向に位置して抜止部３４が設けられているので、係止爪２６の変形を抜止部３４で規制して、係止爪２６が係止受部２８から外れることを防止できる。これにより、係止爪２６と係止受部２８との爪嵌合により、第１分体１４および第２分体１６を強固に組み付けることができ、ダクト１０の強度を向上させることができる。特に、空気入口１０ａ側または空気出口１０ｂ側のようなダクト１０の端に設けられる爪嵌合構造には、外力が加わり易いので、当該爪嵌合構造に抜止部３４を設けて係止爪２６を抜け止めするとよい。また、実施例のダクト１０のように、第２分体１６が円弧形状であると、係止受部２８に挿入した係止爪２６と第２分体１６の外面との間に大きな間隔があいてしまうが、抜止部３４によって前記間隔を詰めて係止爪２６の抜け止めを図っているともいえる。換言すると、例えば、係止受部２８に挿入した係止爪２６の先端部と第２分体１６との外面との間が、係止受部２８の開口縁と係止突起２６ａとの引っ掛かり代よりも狭い場合、抜止部３４を省略してもよい。
【００２５】
（変更例）
前述した実施例に限らず、例えば以下のように変更してもよい。
【００２６】
(１)位置決め部３０と規制部３２との位置決め構造は、実施例の構成に限らず、例えば、図７に示すように、規制部３２の形状を変更してもよい。図７に示す規制部３２は、第２分体１６の端縁において上方(第１分体１４側)に開く凹状に形成されると共に、係止爪２６(係止部２４)の突出方向に沿って延在する規制面３２ａを有している。また、位置決め部３０は、挿入先端側が案内面３０ａにより先細り形状であることに加えて、案内面３０ａの上端から係止爪２６(係止部２４)の突出方向に沿って延在する位置決め面３０ｂを有している。このように、位置決め部３０と規制部３２とが略同一形状で形成されている。変更例の位置決め構造によれば、規制部３２に位置決め部３０を受け入れた際に、規制部３２の規制面３２ａと位置決め部３０の位置決め面３０ｂとが当たって係止部２４と係止受部２８とを位置決めすることができる。また、規制面３２ａに位置決め面３０ｂが案内されて係止爪２６が係止受部２８に真っ直ぐな経路で挿入されるように案内される。従って、係止受部２８に対して係止爪２６が斜めに挿入される等の挿入不良を回避でき、係止爪２６と係止受部２８との爪嵌合によって、第１分体１４と第２分体１６とをガタツキを防止した安定した状態で組み付けることができる。
【００２７】
(２)実施例では、第１分体でダクトの上側部分を構成し、第２分体でダクトの下側部分を構成したが、第１分体でダクトの下側部分を構成し、第２分体でダクトの上側部分を構成してもよい。ダクトを、第１分体と第２分体とで上下に分割する構成に限らず、左右に分割するなど、ダクトの分割態様を適宜変更可能である。
(３)実施例では、第１分体と第２分体とが空気流通路の約半分ずつの領域を囲うように構成したが、空気流通路を囲う第１分体と第２分体との割合を適宜変更してもよい。
(４)本発明は、吸気ダクト、ブレーキダクト、空調ダクトなどに適用可能である。
(５)実施例の係止部は、隣り合う係止爪が互いに近づくように弾性変形可能に構成されていたが、これに限らず、隣り合う係止爪が互いに近づくように変形しなくてもよい。係止受部の空気流通方向の開口寸法が、係止部における両係止爪の空気流通方向の寸法より大きく設定されていても、位置決め部と規制部との係合によって、係止部と係止受部との係合後においてダクトにおける第１分体と第２分体との空気流通方向の相対的なズレに起因する異音等の発生を防止することができる。
【符号の説明】
【００２８】
１２ 空気流通路，１４ 第１分体，１６ 第２分体，１６ａ 内壁，２０ 外壁，
２２ 底部，２４ 係止部，２６ 係止爪，２８ 係止受部，３０ 位置決め部，
３０ａ 案内面，３２ 規制部，３２ｂ 規制面，３４ 抜止部
【図１】
2019188856.tif 000003
【図２】
2019188856.tif 000004
【図３】
2019188856.tif 000005
【図４】
2019188856.tif 000006
【図５】
2019188856.tif 000007
【図６】
2019188856.tif 000008
【図７】
2019188856.tif 000009